(57)【要約】      （修正有）【課題】常にほぼ一定量の内容物を、段階的に小分けして、迅速かつスムーズに注出できると共に、内容物の残量が少ないチューブ容器絞り出し器具に関する。【解決手段】内容物が充填されたチューブ容器５と、該チューブ容器の裾部及び胴部を挟んで、両側から押圧して、内容物を注出するための押板１と、該押板にチューブ容器を固定するチューブ固定手段とからなり、（ａ）前記チューブ容器は、その胴部が押板表面と向かい合うように、押板上に少なくとも１本載置され、（ｂ）前記押板は、順次独立して押圧できるように、仕切手段で仕切られた複数の押板片から構成され、個々の押板片の端部には、チューブ容器から内容物を絞り出した後、チューブ容器を復元不可能に固定する押板片嵌合手段が設けられ、（ｃ）前記チューブ固定手段は、押板でチューブ容器が挟着、嵌合、係合又は接着して固定されたことを特徴とするチューブ容器絞り出し器具。【選択図】図７
2014104979.tif 000002
【特許請求の範囲】
【請求項１】
内容物が充填されたチューブ容器と、該チューブ容器の裾部及び胴部を挟んで、両側から押圧して、内容物を注出するための押板と、該押板にチューブ容器を固定するチューブ固定手段とからなり、
（ａ）前記チューブ容器は、その胴部が押板表面と向かい合うように、押板上に少なくとも１本載置され、
（ｂ）前記押板は、順次独立して押圧できるように、仕切り手段で仕切られた複数の押板片から構成され、個々の押板片の端部には、チューブ容器から内容物を絞り出した後、チューブ容器を復元不可能に固定する押板片嵌合手段が設けられ、
（ｃ）前記チューブ固定手段は、押板でチューブ容器が挟着、嵌合、係合又は接着して固定されたことを特徴とするチューブ容器絞り出し器具。
【請求項２】
前記押板片嵌合手段は、一方の押板片の端部に突起が形成され、他方の押板片の端部に前記突起が嵌合される嵌合孔又は嵌合凹部が形成されることを特徴とする請求項１記載のチューブ容器絞り出し器具。
【請求項３】
前記押板片嵌合手段は、一方の押板片の端部にアンダーカットが形成され、他方の押板片の端部に、前記アンダーカットが嵌合されることを特徴とする請求項１記載のチューブ容器絞り出し器具。
【請求項４】
前記仕切り手段が、貫通孔部と該貫通孔部を補強する補強部とから構成されることを特徴とする請求項１〜３記載のチューブ容器絞り出し器具。
【請求項５】
前記仕切り手段が、溝部又はヒンジ部から構成されることを特徴とする請求項１〜３記載のチューブ容器絞り出し器具。
【請求項６】
前記押板上にチューブ容器が２本載置され、一方の金属製チューブ容器には染毛１剤、他方の合成樹脂製チューブ容器には染毛２剤が各々充填され、個々の押板片を順次嵌合しながら絞り出すことを特徴とする請求項１乃至４記載のチューブ容器絞り出し器具。
【請求項７】
チューブ容器の絞り出しにおいて、チューブ容器の裾部近傍に対応する押板片を初期押圧とし、次に胴部近傍、肩部近傍に順次対応する各々の押板片を押圧することにより、常にほぼ一定量の内容物を段階的に注出することを特徴とするチューブ容器の絞り出し方法。
【発明の詳細な説明】
【技術分野】
【０００１】
本発明は、チューブ容器絞り出し器具に関し、さらに詳しくは、少なくとも１本のチューブ容器から常にほぼ一定量の内容物を迅速かつスムーズに注出できると共に、チューブ容器内の内容物の残量が少ないチューブ容器絞り出し器具に関する。
【背景技術】
【０００２】
チューブ容器から内容物を注出する場合、一般的に指でチューブ容器の胴部を押圧して絞り出している。一方、器具を用いてチューブ容器の内容物を絞り出すもの（例えば特許文献１）も知られており、チューブ容器の胴部に平板状押え板を接着することによって、押え板を介して指でチューブ容器を押圧するものがある。
また、染毛剤等のように、２本のチューブ容器から各々の内容物を注出し、使用時にこれらの内容物を混合して使用するセット容器がある。このような製品もまた、各チューブ容器を１本ずつ指で押圧するのが一般的な使用方法であり、染毛剤の１剤成分と２剤成分とをトレイ内に絞り出し、トレイ内で混合して使用している。また、１本ずつ内容物を絞り出さなければならないという不便さがあることから、２本のチューブ容器から同時に内容物を絞り出す器具（例えば特許文献２）も考案されている。このものは、器具に並列に固定された２本のチューブ容器を巻上器によって巻きながら、染毛剤の１剤成分と２剤成分を同時に同じ量だけ絞り出すものである。
【先行技術文献】
【特許文献】
【０００３】
【特許文献１】実開昭４７−３７３４０号公報
【特許文献２】実開昭６３−２６５４７号公報
【発明の概要】
【発明が解決しようとする課題】
【０００４】
しかしながら、従来の使用方法や従来の器具においては、以下の（１）〜（４）に示す欠点があった。
（１）チューブ容器の胴部を直接または特許文献１のような平板状押え板を介して指で押圧すると、押圧する加減が難しく、常に一定量の内容物を絞り出すのは難しい。例えば、几帳面な使用者は、折り締めやヒートシール等によって扁平にされたチューブ容器の裾部付近から指で押圧してゆき、口部側に向かって内容物をきれいに押し出そうとするが、このような作業を行ったとしても、常に一定量の内容物を絞り出すのは困難である。
【０００５】
（２）チューブ容器の材質によって胴部を指で押しつぶした後の復元力が異なる。つまり、アルミニウム等の金属製チューブ容器の場合は、直接または特許文献１のような平板状押え板を介して指で押しつぶした胴部の部位が復元し難いが、ポリエチレン等の合成樹脂製チューブ容器の場合は、押しつぶした部位が膨らんで内容物が逆流する現象や容器内に空気を吸い込むエアーバック現象が発生しやすい。したがって、上記のような几帳面な使用者が、合成樹脂製チューブ容器をその裾部付近から指で押圧していったとしても、常に一定量の内容物を絞り出すことができない。その上、全ての内容物を絞り出すには、一度押しつぶしたチューブ容器の箇所を再び押しつぶす必要があり、絞り出し作業に手間がかかる。また、容器内に空気が入り込むため、内容物が変質する問題や、内容物が空気と共に絞り出されるため、内容物が飛散する問題も生じる。
【０００６】
（３）染毛剤等の複数種類の内容物を複数のチューブ容器に収容したセット製品では、各内容物を複数回に小分けして注出するのが一般的であり、各容器から毎回一定量の内容物を同量ずつ絞り出すことが望まれている。しかしながら、直接または特許文献１のような平板状押え板を介して指で押圧して内容物を絞り出すと、各容器の内容物の注出量が異なってしまい、所定の混合比率が得られない問題や、片方の内容物だけが先に無くなってしまう問題がある。また、使用するごとに内容物の注出量が変わってしまい、毛染め作業に不必要な量の内容物が注出されてしまう問題もある。さらに、２つのチューブ容器の材質が、１剤用容器がアルミニウム等の金属製で、２剤用容器がポリエチレン等の合成樹脂製のセット製品もあり、前記した復元性の問題から、常に一定量の内容物を絞り出す作業をより困難なものにしている。
【０００７】
（４）特許文献２に示す器具は、構造が複雑で部品点数が多いため、製造コストが高いという問題がある。また、チューブ容器の胴部は、扁平な裾部側から口部側に向かって膨らんでゆく独特の横断面形状を有しているため、つまみ部の回転量が常に同じであったとしても、裾部付近を巻上げることによって絞り出される注出量と、裾部から離れた胴部を巻上げることによって絞り出される注出量との間に差が生じてしまう。つまり、特許文献２に示す器具を用いたとしても、常に一定量の内容物を小分けして絞り出すのは難しい。
【０００８】
この発明は、このような課題に着目してなされたものであり、１本のチューブ容器または染毛剤等の２本以上のチューブ容器セット製品において、容器の材質に関係なく、内容物の逆流やエアーバックを防止しながら、常にほぼ一定量の内容物を段階的に小分けして迅速かつスムーズに絞り出すことができると共に、部品点数が少なく安価に製造できるチューブ容器絞り出し器具を提供することを目的とする。
【課題を解決するための手段】
【０００９】
この課題を解決するため、請求項１記載の発明の解決手段は、内容物が充填されたチューブ容器と、該チューブ容器の裾部及び胴部を挟んで、両側から押圧して、内容物を注出するための押板と、該押板にチューブ容器を固定するチューブ固定手段とからなり、（ａ）前記チューブ容器は、その胴部が押板表面と向かい合うように、押板上に少なくとも１本載置され、（ｂ）前記押板は、順次独立して押圧できるように、仕切り手段で仕切られた複数の押板片から構成され、個々の押板片の端部には、チューブ容器から内容物を絞り出した後、チューブ容器を復元不可能に固定する押板片嵌合手段が設けられ、（ｃ）前記チューブ固定手段は、押板でチューブ容器が挟着、嵌合、係合又は接着して固定されたことを特徴とするチューブ容器絞り出し器具である。
【００１０】
請求項２記載の発明の解決手段は、押板片嵌合手段は、一方の押板片の端部に突起が形成され、他方の押板片の端部に、突起が嵌合される嵌合孔又は嵌合凹部が形成されることを特徴とするチューブ容器絞り出し器具である。
【００１１】
請求項３記載の発明の解決手段は、押板片嵌合手段は、一方の押板片の端部にアンダーカットが形成され、他方の押板片の端部に、アンダーカットが嵌合されることを特徴とするチューブ容器絞り出し器具である。
【００１２】
請求項４記載の発明の解決手段は、仕切り手段が、貫通孔部と、該貫通孔部を補強する補強部とから構成されることを特徴とするチューブ容器絞り出し器具である。
【００１３】
請求項５記載の発明の解決手段は、仕切り手段が、溝部又はヒンジ部から構成されることを特徴とするチューブ容器絞り出し器具である。
【００１４】
請求項６載の発明の解決手段は、押板上にチューブ容器が２本載置され、一方の金属製チューブ容器には染毛１剤、他方の合成樹脂製チューブ容器には染毛２剤が各々充填され、個々の押板片を順次嵌合しながら絞り出すことを特徴とするチューブ容器絞り出し器具である。
【００１５】
請求項７記載の発明の解決手段は、チューブ容器の絞り出しにおいて、チューブ容器の裾部近傍に対応する押板片を初期押圧とし、次に胴部近傍、肩部近傍に順次対応する各々の押板片を押圧することにより、常にほぼ一定量の内容物を段階的に注出することを特徴とするチューブ容器の絞り出し方法である。
【発明の効果】
【００１６】
本発明に係るチューブ容器絞り出し器具は、チューブ容器が合成樹脂製である場合であっても、内容物の逆流やエアーバックを防止しつつ、常にほぼ一定量の内容物を小分けして迅速かつスムーズに絞り出すことができると共に、部品点数が少なく安価に製造できる効果を奏する。
特に、２本のチューブ容器に染毛剤の１剤と２剤が収容される場合であって、１剤用容器がアルミニウム製チューブ容器で、２剤用容器が合成樹脂製チューブ容器であるセット製品では、１剤と２剤を同時に同量だけスムーズに絞り出すことができると共に、常にほぼ一定量の染毛剤を必要な分だけ小分けして絞り出すことができるため、染毛作業の利便性を向上させる効果を奏する。
【図面の簡単な説明】
【００１７】
【図１】本発明に係るチューブ容器絞り出し器具の実施例１において、押板にチューブ容器を挟んだ状態で、内容物を注出している初期段階を示す断面図。
【図２】本発明に係るチューブ容器絞り出し器具の実施例１において、押板にチューブ容器を挟んだ状態で、内容物を注出している第１の中間段階を示す断面図。
【図３】本発明に係るチューブ容器絞り出し器具の実施例１において、押板にチューブ容器を挟んだ状態で、内容物を注出している第２の中間段階を示す断面図。
【図４】本発明に係るチューブ容器絞り出し器具の実施例１において、押板にチューブ容器を挟んだ状態で、内容物を注出している最終状態を示す断面図。
【図５（ａ）】本発明に係るチューブ容器絞り出し器具の実施例１において、押板にチューブ容器を挟む前及び途中の状態を示す正面断面図。
【図５（ｂ）】図５（ａ）において、押板にチューブ容器を挟む前の状態を示す平面図。
【図５（ｃ）】図５（ｂ）において、突起を示すＡ−Ａ拡大断面図。
【図５（ｄ）】図５（ｂ）において、突起及び嵌合孔を示すＢ−Ｂ拡大断面図。
【図６（ａ）】本発明に係るチューブ容器絞り出し器具の実施例２において、両方の押板を嵌合する前の状態を示す平面図
【図６（ｂ）】本発明に係るチューブ容器絞り出し器具の実施例２において、両方の押板を嵌合した後の状態を示すＣ−Ｃ拡大断面図。
【図７】本発明に係るチューブ容器絞り出し器具において、押板にチューブ容器を挟んだ状態で、内容物を注出している状態を示す断面図。
【発明を実施するための形態】
【００１８】
以下、本発明の実施例の一例を図面に基づいて説明する。
【実施例１】
【００１９】
図１〜図５は、この発明に係る実施例１であり、押板１の間に２本のチューブ容器５を挟んで、各々の押板片２ａ、２ｂ、２ｃ、２ｄを順次押圧し、チューブ容器５の内容物を押し出している状態を示す図面である。押板１は、ポリプロピレン等の合成樹脂の薄板から造られているが、板紙、金属の薄板等の材料を用いて造ることもでき、また、これらの材料を複合化することもできる。押板１の肉厚は０．５〜５ｍｍが適し、好ましくは１〜１．５ｍｍが適する。このような押板１は、押板長手方向のほぼ中間位置で相互に折り曲げてもよいが、２枚の押板１を用いて各押板の間をヒンジ等の薄板で連結或いは接着してもよい（図示せず）。チューブ容器５は、その裾部及び胴部が、押板１の表面と接触するように、固定手段によって押板１に固定される。固定手段としては、押板１にチューブ容器５を単に挟み込むだけの方法でもよく、又は、押板１とチューブ容器５とを嵌合若しくは係合する方法、又は、押板１とチューブ容器５とを接着する方法などの固定手段によってチューブ容器５を押板１に固定することができる。そして、押板１の長さは、チューブ容器５の丈に合わせて任意に決定できる。さらに、押板１は複数に分割され、各々押板片２ａ、２ｂ、２ｃ、２ｄから構成され、押板片２ａ、２ｂ、２ｃ、２ｄの境目には、仕切り手段、例えば貫通孔部３ａが形成されている。本発明の特徴は、押板１は複数の押板片に分割されているので、押板片２ａ、２ｂ、２ｃ、２ｄを、順次独立してチューブ容器５の各部位を押圧することができる点にある。
【００２０】
具体的に、２本のチューブ容器５から、それぞれ染毛剤の１剤（例えば塩基性酸化染料やアンモニアを含有する）と２剤（例えば主成分として過酸化水素からなる酸化剤を含有する）を注出する場合について説明する。まず図１に示すように、押板１で挟み込まれたチューブ容器５の裾部近傍を対向する押板片２ａで押圧すると、裾部近傍の１剤及び２剤が同量注出される。次に、図２に示すように、胴部の下部近傍を、対向する押板片２ｂで押圧すると、胴部の下部近傍の染毛１剤及び染毛２剤が同量注出される。なお、図７に示すように、チューブ容器５から注出された染毛剤は、トレイ９内で混合された後、毛髪に塗布される。このようにして、図３、図４に示すように、胴部の中央部近傍を対向する押板片２ｃで押圧し、胴部の上部近傍（肩部近傍）を押板片２ｄで段階的に押圧することにより、チューブ容器５から常にほぼ一定量の染毛剤を注出することができると共に、ほぼすべての染毛剤を注出することができる。
【００２１】
これら各押板片２ａ、２ｂ、２ｃ、２ｄは、貫通孔部３ａからなる仕切り手段によって仕切られることによって構成されている。この貫通孔部３ａの押板長手方向（チューブ容器の高さ方向）における寸法は０．５〜３ｍｍが適し、好ましくは１ｍｍが適する。また、実施例１の押板１は、４つの押板片２ａ、２ｂ、２ｃ、２ｄによって分割されているが、チューブ容器５の長さに応じて分割数を任意に設定することができる。また、各押板片の押板長手方向における長さ寸法は、チューブ容器５の高さ寸法に合わせて任意に設定することができるが、常にほぼ一定量の内容物を絞り出すには、各押板の長さ寸法を変化させるとよい。例えば、扁平な裾部近傍に位置する押板片２ａの長さを最も長く形成し、その他の押板片２ｂ，２ｃ，２ｄの長さは、押しつぶされる前の各部分の容積に応じて決めることができる。また、チューブ容器５の胴部は、扁平な裾部側から口部６側に向かって膨らんでゆく独特の横断面形状を有しているため、図１〜図３のように、各押板片２ａ、２ｂ、２ｃをそれぞれ押圧した後の次に押圧すべき各押圧片２ｂ、２ｃ、２ｄによって形成される内角α、β、γ［°］は、一般にα＜β＜γのように段階的に大きくなってゆく。
【００２２】
図５では、貫通孔部３ａが、押板幅方向（チューブ容器の幅方向）に、補強部４を介して２つ形成されているが、３つ以上の貫通孔部３ａが形成されてもよい。この補強部４によって各押板片２ａ、２ｂ、２ｃ、２ｄ間の連結状態が強化されており、貫通孔部３ａの幅が拡大するのを防止することができる。図面では、補強部４が押板１の肉厚と同じ厚さであり、その表面が平滑に形成されているが、部分的に肉厚が異なっていてもよく、また、凹凸部を有していてもよい。また、押板幅方向（チューブ容器の幅方向）における補強部４の長さ寸法は、貫通孔部３ａの幅が拡大しないように、０．５〜３ｍｍ好ましくは１ｍｍに形成するのがよい。
【００２３】
さらに、本発明の特徴は、一方の押板１の押板片２ａ、２ｂ、２ｃ、２ｄの各貫通孔部３ａの端部付近に、各々の押板片嵌合手段として突起７を形成すると共に、他方の対向する押板片２ａ、２ｂ、２ｃ、２ｄの端部に、該突起７と嵌合する嵌合孔８を形成した点にある。この突起７と嵌合する嵌合孔８は、図１〜図４に示すように、チューブ容器５から内容物を絞り出した後、個々の押板片２ａ、２ｂ、２ｃ、２ｄの部位に対応して、チューブ容器５の各部位を、復元不可能に押圧したままの状態に維持するために、両側の押板片を嵌合する手段として設けられたものである。
【００２４】
すなわち、発明者は、図５（ａ）、（ｂ）、（ｃ）、（ｄ）に示すように、チューブ容器５を挟んで、一方の押板１を他方の押板１側に倒して、チューブ容器５を押しつぶして内容物を絞り出した後、チューブ容器の押しつぶし状態を維持するために、絞り出しが完了した部位の押圧片２ａ、２ｂ、２ｃ、２ｄの突起７を、嵌合孔８に挿入して嵌合することにより、チューブ容器５を各押板片で押圧したままの状態に維持することができる。
【００２５】
特に、押板１の間に挟み込まれるチューブ容器５が合成樹脂製チューブ容器を含む場合、例えば、２本のチューブ容器５が、塩基性酸化染料やアンモニア等を含有する染毛１剤用の金属製チューブ容器と、過酸化水素等を含有する染毛２剤用の合成樹脂製チューブとから構成される場合では、次のようなチューブ容器の復元力による不具合を効果的に防止することができ、１剤と２剤の成分を同時かつスムーズに絞り出すことができると共に、常にほぼ一定量の染毛剤を小分けして絞り出すことができる。
【００２６】
すなわち、突起７と嵌合孔８とによる押板片の嵌合状態を維持する手段が無い場合、初回の絞り出しにおいては押板片２ａによって内容物を同時に同量だけ絞り出すことができるが、次の押板片２ｂを押圧しようとした段階で、すでに合成樹脂製チューブ容器は、復元力によって最初に押圧された押板片２ａを押し上げて膨らんでおり、内容物がチューブ容器の裾部側（押板片２ａ側）に向かって逆流する現象や、容器内に空気を吸い込むエアーバック現象が発生してしまうのである。そうすると、２回目以降の押板片２ｂ、２ｃ、２ｄの押圧操作において、各内容物を同時に同量だけ絞り出すことができなくなってしまうのである。
【実施例２】
【００２７】
図６は、本発明の実施例２を示す図面である。実施例２は、一方の押板１１の押板片１２ａ、１２ｂ、１２ｃ、１２ｄの両端に、各々押板片嵌合手段として、断面形状がＬ字等のアンダーカット１７が形成されると共に、このアンダーカット１７が他方の対向する押板片１２ａ、１２ｂ、１２ｃ、１２ｄの端部１８の両端に嵌合されている実施例である。図６（ａ）、（ｂ）に示すように、チューブ容器１５を押板１１の間に挟み、一方の押板１１を他方の対向する押板１１に倒して押圧し、チューブ容器１５から内容物を絞り出した後、図６（ｂ）に示すように、絞り出したチューブ容器１５に対応する一方の押板片１２ａ、１２ｂ、１２ｃ、１２ｄの両端に形成されたアンダーカット１７を、他方の対向する押板片１２ａ、１２ｂ、１２ｃ、１２ｄの端部１８の両端に嵌合する。これにより、チューブ容器１５が、合成樹脂製チューブ容器の場合に、内容物を絞り出した後の押しつぶし状態を維持し、内容物が逆流する現象や、エアーバックによって容器内に空気が吸い込まれる現象が発生するのを防ぐことができる。よって、染毛剤の１剤と２剤の成分を同時に同量だけスムーズに絞り出すことができると共に、常にほぼ一定量の染毛剤を小分けして絞り出すことができる。
【００２８】
以上、実施例１及び実施例２を例にして、本発明の特徴を説明してきたが、本発明は上記の実施例に限定されることなく、次のような図示しない実施形態も本発明に包含される。
まず、本発明に係るチューブ容器絞り出し器具は、染毛１剤を収容した金属製チューブ容器と、染毛２剤を収容した合成樹脂製チューブとで構成される２本のチューブ容器に使用する場合を例に挙げて説明してきたが、染毛剤以外の混合して使用する内容物であってもよく、３本以上のチューブ容器から３種類以上の内容物を混合して使用する場合にも適用することができる。また、１種類の内容物を収容した１本のチューブ容器にも使用することができる。
【００２９】
なお、２本以上のチューブ容器が絞り出し器具に取り付けられる場合、各チューブ容器の材質は、全て合成樹脂製チューブ容器または全て金属製チューブ容器で構成しても構わない。具体的なチューブ容器の材質として次のようなものが挙げられる。金属製チューブ容器としては、アルミニウムの他に錫等のチューブ容器があるが、一般的に用いられているのはアルミニウム製のチューブ容器である。合成樹脂製チューブ容器としては、ポリエチレン系樹脂等の単層構造又は多層構造のチューブ容器や、ポリエチレン系樹脂層と、エチレンビニルアルコール共重合体樹脂やポリアミド樹脂等のガスバリア層とを含む多層構造のチューブ容器、ポリエチレン系樹脂層などの合成樹脂層とアルミニウム箔層を含むチューブ容器などを使用することができる。
また、チューブ容器は、その胴部の横断面形状が、円形だけでなく、楕円形、四角形等の多角形であってもよい。
【００３０】
次に、仕切り手段は、実施例１，２では貫通孔部３ａ，１３ａを押板幅方向（チューブ容器の幅方向）に２つ形成していたが、１本のチューブ容器のみが押板１の間に挟み込まれる場合、貫通孔部３ａは押板幅方向の長さが短いため、前記補強部４，１４を省略し、１つの貫通孔部３ａ，１３ａだけ形成することもできる。この場合、各押板片は、押板の両端のみで相互に連結されることになるが、各押板片の連結状態を強化するために、この連結部分の押板幅方向における長さを十分に長く形成しておくのが好ましい。また、仕切り手段は、貫通孔部３ａ，１３ａに限定されず、貫通孔部に替わる他の仕切り手段として、折曲げ容易な溝部或いはヒンジ部で構成してもよい。この場合、補強部４，１４は省略してもよい。
【００３１】
続いて、押板片嵌合手段を、実施例１では突起７と嵌合孔８で構成しており、該嵌合孔８は、貫通孔部３ａの近傍に配置していたが、嵌合孔８を貫通孔部３ａに連続して形成してもよい。また、突起７及び嵌合孔８は、貫通孔部３ａから離れた位置、例えば、押板長手方向における各押板片の中間領域に形成してもよい。さらに、突起７を貫通孔部３ａの端部に嵌合させることもでき、この場合、嵌合孔８を形成する必要が無い。
また、実施例１では嵌合孔８を貫通した孔で構成していたが、嵌合凹部に替えることもできる。一方、突起７の先端形状は、図１〜図５のような球状の他に円柱状など、嵌合孔８又は嵌合凹部と嵌合可能な形状にすることができる。
さらに、使用後のチューブ容器を押板から分離して分別廃棄できるように、押板片嵌合手段の嵌合状態を容易に解除できる構造にしてもよい。その場合、チューブ固定手段は、チューブ容器を押板から容易に取り外すことができる構造であることが好ましい。
【００３２】
また、本発明の絞り出し器具は、各押板片２ａ（１２ａ）、２ｂ（１２ｂ）、２ｃ（１２ｃ）、２ｄ（１２ｄ）を正しい順序で押圧しないと、常にほぼ一定量の内容物を注出することができない。そこで、各押板片又はチューブ容器５の外面に押圧順序を示す表示（図示せず）を付してもよい。この表示は、番号や矢印等の文字、記号、図形あるいは色彩等のいずれか又はこれらの組合せによって表現することができる。このような表示を付すには、例えば、印刷、フィルムやラベルの貼着、刻印、彫刻等の方法や、各押板片を複数色からなる材料で形成する方法など公知の方法を用いることができる。
【００３３】
以上のような押板１，１１は、射出成形法や圧縮成形法の他に、真空成形、圧空成形、プラグアシスト圧空成形等の熱成形法によって造ると、１つの部材で済むため安価である。また、基板となるシートを準備し、該シートの上に各押板片を接着や射出成形等の方法によって接合すると共に、各押板片の間に隙間ができるように各押板片を配置することによって、各押板片の間に溝部又はヒンジ部が形成されるようにしてもよい。
【産業上の利用可能性】
【００３４】
本発明に係るチューブ容器絞り出し器具は、チューブ容器から常に一定量の内容物を、段階的に小分けして、迅速かつスムーズに注出できるので、特に染毛剤の注出に便利である。そして、チューブ容器内の内容物の残量を極力少なくでき、又簡単な構造で安価に製造することができるので、薬品、食料品等のチューブ容器の絞り出し器具として広く用いることができる。
【符号の説明】
【００３５】
押板  １，１１，２１
押板片  ２ａ，２ｂ，２ｃ，２ｄ，１２ａ，１２ｂ，１２ｃ，１２ｄ
貫通孔部  ３ａ，１３ａ
補強部  ４，１４
チューブ容器  ５，１５
口部  ６，１６
突起  ７
嵌合孔  ８
アンダーカット  １７
端部  １８
【図１】
2014104979.tif 000003
【図２】
2014104979.tif 000004
【図３】
2014104979.tif 000005
【図４】
2014104979.tif 000006
【図５（ａ）】
2014104979.tif 000007
【図５（ｂ）】
2014104979.tif 000008
【図５（ｃ）】
2014104979.tif 000009
【図５（ｄ）】
2014104979.tif 000010
【図６（ａ）】
2014104979.tif 000011
【図６（ｂ）】
2014104979.tif 000012
【図７】
2014104979.tif 000013